(57)【要約】【課題】遊技球に意外性のある挙動を付与し、弾球遊技機特有の期待感を高めるにあたり、コストアップを回避すると共に、遊技釘による出玉調整を従来通り行うことができるようにする。【解決手段】遊技球が発射される遊技盤４に、遊技球の落下方向及び落下速度に変化を与える複数の遊技釘１６が設けられたパチンコ遊技機１であって、遊技盤４の遊技釘１６間に、遊技球と干渉する凹凸２３を設け、遊技球を遊技釘１６間で凹凸２３に干渉させることにより、遊技球に意外性のある挙動を付与する。【選択図】図４
2007252466.tif 000002
【特許請求の範囲】
【請求項１】
遊技球が発射される遊技盤に、遊技球の落下方向及び落下速度に変化を与える複数の遊技釘が設けられた弾球遊技機であって、前記遊技盤の遊技釘間に、遊技球と干渉する凹凸を設けたことを特徴とする弾球遊技機。
【請求項２】
前記凹凸は、遊技盤における遊技領域の一部又は全体に形成されることを特徴とする請求項１記載の記載の弾球遊技機。
【請求項３】
前記凹凸は、遊技盤の前面を覆うシート部材に形成されることを特徴とする請求項１又は２記載の弾球遊技機。
【請求項４】
前記シート部材は、凹凸を有する凹凸シートと、該凹凸シートの表面を被覆する化粧シートとを積層して形成されることを特徴とする請求項１〜３のいずれかに記載の弾球遊技機。
【発明の詳細な説明】
【技術分野】
【０００１】
本発明は、遊技球が発射される遊技盤に、遊技球の落下方向及び落下速度に変化を与える複数の遊技釘が設けられたパチンコ遊技機等の弾球遊技機に関する。
【背景技術】
【０００２】
パチンコ遊技機等の弾球遊技機では、内外の発射レール間に形成される発射球通路を介して、遊技盤の遊技領域に遊技球を発射するようになっている。遊技盤の遊技領域には、始動口、大入賞口、入賞口、アウト口、遊技釘、風車等の遊技要素が設けられており、発射球通路から遊技領域に発射された遊技球は、遊技釘や風車と干渉しながら各口に誘導される。
【０００３】
特に、遊技釘は、遊技領域全体に多数設けられ、遊技球の落下方向や落下速度に大きな変化を与えるので、発射した遊技球が始動口等に入賞するか否かという弾球遊技機特有の期待感を醸し出す重要な遊技要素であり、しかも、遊技釘の角度や方向によって始動口等に対する遊技球の入賞率が変化するので、重要な出玉調整要素でもある。
【０００４】
この種の弾球遊技機では、遊技球の挙動に対して、遊技者の予想外の挙動（以下、単に「意外性」とする。）を付与することにより、遊技球が始動口等に入賞するか否かという弾球遊技機特有の期待感を高めることが可能と考えられるが、従来の弾球遊技機では、遊技球の落下方向や落下速度に大きな変化を与える部材が遊技釘と風車に限られていたので、遊技球の挙動に意外性を付与することができなかった。
【０００５】
そこで、遊技釘や風車以外の部材で遊技球の落下方向や落下速度に変化を与えるパチンコ遊技機が提案されている（例えば、特許文献１参照）。このパチンコ遊技機によれば、遊技盤の遊技領域に球流下規制部材を配設することにより、遊技釘に代えて遊技球の落下方向や落下速度を変化させるので、遊技釘の場合とは異なる挙動を遊技球に付与することができる。
【特許文献１】特開平１１−３３１７４号公報
【発明の開示】
【発明が解決しようとする課題】
【０００６】
しかしながら、特許文献１に記載される球流下規制部材は、大型の部材であるため、パチンコ遊技機の製造コストを大幅に増加させる可能性がある。また、球流下規制部材を配設した領域は、遊技釘が設けられておらず、遊技球の落下方向や落下速度を調整できないため、出玉調整を困難にするという問題がある。
【課題を解決するための手段】
【０００７】
本発明は、上記の如き実情に鑑みこれらの課題を解決することを目的として創作されたものであって、遊技球が発射される遊技盤に、遊技球の落下方向及び落下速度に変化を与える複数の遊技釘が設けられた弾球遊技機であって、前記遊技盤の遊技釘間に、遊技球と干渉する凹凸を設けたことを特徴とする。このようにすると、遊技球を遊技釘間で凹凸に干渉させることにより、遊技球に意外性のある挙動を付与し、弾球遊技機特有の期待感を高めることができる。しかも、凹凸は、遊技盤面に比較的容易に形成できるので、大幅なコストアップも回避できる。また、凹凸は、遊技釘と同じ領域に設けられるので、遊技釘による出玉調整を困難にするような不都合もない。
また、前記凹凸は、遊技盤における遊技領域の一部又は全体に形成されることを特徴とする。このようにすると、遊技領域の一部だけで遊技球に意外性のある挙動を与えたり、遊技領域全体で遊技球に意外性のある挙動を与えたりすることができる。
また、前記凹凸は、遊技盤の前面を覆うシート部材に形成されることを特徴とする。このようにすると、遊技盤の前面を覆うセル板等の化粧シートを利用し、凹凸を容易かつ安価に形成することができる。
また、前記シート部材は、凹凸を有する凹凸シートと、該凹凸シートの表面を被覆する化粧シートとを積層して形成されることを特徴とする。このようにすると、凹凸シートの変更により任意の凹凸を形成することができるだけでなく、化粧シートの材質選択により、凹凸に必要な強度を付与することができる。
【発明の効果】
【０００８】
以上のように構成された本発明によれば、遊技球を遊技釘間で凹凸に干渉させることにより、遊技球に意外性のある挙動を付与し、弾球遊技機特有の期待感を高めることができる。しかも、凹凸は、遊技盤面に比較的容易に形成できるので、大型の球流下規制部材を設ける場合に比べ、コストダウンを図ることができる。また、凹凸は、遊技釘と同じ領域に設けられるので、遊技釘による出玉調整を困難にするような不都合もない。
【発明を実施するための最良の形態】
【０００９】
［弾球遊技機］
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【００１０】
パチンコ遊技機１の正面部は、遊技球が発射される遊技盤４と、その前方を覆う開閉自在なガラス枠５と、遊技球を溜める上皿６と、上皿６の余剰球を溜める下皿７と、遊技球の発射力調整を行う発射ハンドル８と、遊技球の貸出操作を行う貸出操作部９と、演出音を出音するスピーカ１０とを備えて構成され、また、パチンコ遊技機１の背面部は、払出用の遊技球を溜める遊技球タンク１１と、遊技球タンク１１内の遊技球を上皿６に払い出す賞球払出装置１２と、発射ハンドル８の操作に応じて遊技球を発射する発射装置（発射モータ）１３と、各種の制御基板とを備えて構成されている。
【００１１】
［遊技盤］
図３及び図４に示すように、遊技盤４は、基材１４、シート部材１５、遊技釘１６、風車１７、発射レール１８、センター役物１９、始動口２０、ゲート２１、大入賞口２２、アウト口（図示せず）などを備えて構成されており、発射装置１３から遊技盤４の遊技領域に発射された遊技球は、遊技釘１６や風車１７と干渉しながら各口２０〜２２に誘導される。
【００１２】
通常、この種の遊技盤４は、基材１４の表面にシート部材１５を貼着する工程、ゲージプレスを用いてシート部材１５上から複数の下孔を形成する工程、これらの下孔位置に遊技釘１６を打設する工程などを経て製造される。
基材１４は、ベニヤ合板などで形成されており、機種に応じた所定の位置に、センター役物１９、始動口２０、ゲート２１、大入賞口２２、アウト口などの取付孔が加工される。
シート部材１５は、硬質プラスチックからなるセル板や、樹脂コーティングした紙シートを用いて形成されており、その全域には、機種毎にデザインされた絵柄が印刷されている。シート部材１５の貼着方法としては、粘着、接着の他、熱融着などを用いることができる。
【００１３】
［凹凸］
図３及び図４に示すように、遊技盤４の遊技釘１６間には、遊技球と干渉する凹凸２３が設けられている。本実施形態の凹凸２３は、所定間隔を存して散点状に配列される凸部２３ａと、凸部２３ａ間に形成される凹部２３ｂからなり、遊技釘１６間で遊技釘１６に干渉することにより、遊技球に意外性のある挙動を与える。また、本実施形態では、遊技盤４の遊技領域全体に凹凸２３を形成しているので、遊技領域全体で遊技球に意外性のある挙動を与えることが可能になる。
【００１４】
図４及び図５に示すように、凹凸２３は、遊技盤４の前面を覆うシート部材１５に一体的に設けることが好ましい。例えば、凹凸２３を有する凹凸シート２４と、該凹凸シート２４の表面を被覆する化粧シート２５とを積層すれば、凹凸２３が設けられたシート部材１５を形成することができる。このようにすると、凹凸２３を容易かつ安価に形成できるだけでなく、凹凸シート２４の変更により任意の凹凸２３を形成したり、化粧シート２５の材質選択により凹凸２３に必要な強度を付与することができる。ここで、図４は接着剤を用いて凹凸シート２４と化粧シート２５を接合したもので、凹凸シート２４と化粧シート２５との間に接着剤の層が存在する。なお、凹凸シート２４と化粧シート２５の接合は、接着剤を用いたもの以外に、粘着、熱融着などを用いることができる。特に、熱融着の場合は、化粧シート２５の熱変形を促し、凹凸シート２４と化粧シート２５の隙間を容易に埋めることができる。
【００１５】
本実施形態では、半球状の凸部２３ａと、凸部２３ａ間の凹部２３ｂによって凹凸２３を形成しているが、凹凸２３の形状は、これに限定されず、任意に変更することができる。
なお、遊技球の直径が１２ｍｍである場合は、図４に示すように、凸部２３ａの頂点とガラス板５ａとの距離Ｌ１は１３ｍｍを超え、凹部２３ｂの底面とガラス板５ａとの距離Ｌ２は２５ｍｍを超えないことが好ましい。このようにすると、凸部２３ａの頂点とガラス板５ａとの間に一つの遊技球が挟まったり、凹部２３ｂの底面とガラス板５ａとの間に二つの遊技球が前後に重なって挟まるような不都合を回避できる。ちなみに、本実施形態では、凸部２３ａの直径を１２ｍｍ、凸部２３ａの中心間距離を２４ｍｍとしている。つまり、本実施形態の凸部２３ａの配置箇所は、遊技釘の配置箇所を考慮して決定されるものではない。
【００１６】
叙述の如く構成された本実施形態によれば、遊技球が発射される遊技盤４に、遊技球の落下方向及び落下速度に変化を与える複数の遊技釘１６が設けられたパチンコ遊技機１であって、遊技盤４の遊技釘１６間に、遊技球と干渉する凹凸２３を設けたので、遊技球を遊技釘１６間で凹凸２３に干渉させることにより、遊技球に意外性のある挙動を付与し、パチンコ遊技機特有の期待感を高めることができる。しかも、凹凸２３は、遊技盤面に比較的容易に形成できるので、大幅なコストアップも回避できる。また、凹凸２３は、遊技釘１６と同じ領域に設けられるので、遊技釘１６による出玉調整を困難にするような不都合もない。
【００１７】
また、本実施形態では、遊技盤４の遊技領域全体に凹凸２３を形成しているので、遊技領域全体で遊技球に意外性のある挙動を与えることができる。
また、本実施形態では、遊技盤４の前面を覆うシート部材１５に凹凸２３を形成しているので、遊技盤４の前面を覆うセル板等の化粧シートを利用し、凹凸２３を容易かつ安価に形成することができる。
また、本実施形態のシート部材１５は、凹凸２３を有する凹凸シート２４と、凹凸シート２４の表面を被覆する化粧シート２５とを積層して形成されるので、凹凸シート２４の変更により任意の凹凸２３を形成することができるだけでなく、化粧シート２５の材質選択により、凹凸２３に必要な強度を付与することができる。
【００１８】
本発明は、前記実施形態に限定されないことは勿論であって、例えば、前記実施形態では、遊技盤における遊技領域の全体に凹凸を形成しているが、図６及び図７に示す第二実施形態のように、遊技盤４における遊技領域の一部（図６の網掛け領域）だけに凹凸２３を形成してもよい。例えば、図６に示すように、大入賞口２２の上方近傍に凹凸２３を形成すると、大入賞口２２の上方近傍の遊技領域における遊技球の挙動を、他の遊技領域における遊技球の挙動に比べて遊技者の予想がしづらいものとすることできる。そのため、遊技球が大入賞口２２に入賞するか否かという期待感を高めることができる。なお、遊技領域の一部だけに凹凸２３を形成する場合には、遊技釘の配置箇所を考慮して各凸部２３ａの配置箇所を決定してもよい。この場合、所定の遊技釘と遊技釘の間に凸部２３ａの頂点が配置されるように凸部２３ａの配置箇所を決定してもよいし、所定の遊技釘の配置箇所に凸部２３ａの頂点が配置されるように凸部２３ａの配置箇所を決定してもよい。
【図面の簡単な説明】
【００１９】
【図１】パチンコ遊技機の正面図である。
【図２】パチンコ遊技機の背面図である。
【図３】第一実施形態に係る遊技盤の遊技領域を示す斜視図である。
【図４】第一実施形態に係る遊技盤の部分断面図である。
【図５】第一実施形態に係る凹凸シートの断面図である。
【図６】第二実施形態に係る遊技盤の遊技領域を示す正面図である。
【図７】第二実施形態に係る凹凸シートの断面図である。
【符号の説明】
【００２０】
１      パチンコ遊技機
４      遊技盤
１４    基材
１５    シート部材
１６    遊技釘
１７    風車
２０    始動口
２１    ゲート
２２    大入賞口
２３    凹凸
２３ａ  凸部
２３ｂ  凹部
２４    凹凸シート
２５    化粧シート
【図１】
2007252466.tif 000003
【図２】
2007252466.tif 000004
【図３】
2007252466.tif 000005
【図４】
2007252466.tif 000006
【図５】
2007252466.tif 000007
【図６】
2007252466.tif 000008
【図７】
2007252466.tif 000009